(57)【要約】【課題】従来のブレードカバーでは覆い切れない広範囲を覆うことができて、切削飛沫の飛散を有効に防止し得るパイプ切断機用飛沫飛散防止カバーを提供することを課題とする。【解決手段】ブレードカバー２３の外側面を被覆する円形カバー１１と、ブレードカバー２３の周側面から切断対象のパイプ４１の切断部周面にかけて被覆する帯状カバー１とから成り、帯状カバー１には、その外側面全長に亘って索状物（チェーン）２が取り付けられていて、索状物２の端部がそれぞれブレードカバー２３の周側面に固定可能にされている。【選択図】図４
0003220671.tif 000002
【実用新案登録請求の範囲】
【請求項１】
ブレードカバーの周側面から切断対象のパイプの切断部周面にかけて被覆する帯状カバーで構成され、
前記帯状カバーには、その外側面全長に亘って索状物が取り付けられていて、前記索状物の端部がそれぞれ前記ブレードカバーの周側面に固定可能にされていることを特徴とするパイプ切断機用飛沫飛散防止カバー。
【請求項２】
ブレードカバーの外側面を被覆する円形カバーと、前記ブレードカバーの周側面から切断対象のパイプの切断部周面にかけて被覆する帯状カバーとから成り、
前記帯状カバーには、その外側面全長に亘って索状物が取り付けられていて、前記索状物の端部がそれぞれ前記ブレードカバーの周側面に固定可能にされていることを特徴とするパイプ切断機用飛沫飛散防止カバー。
【請求項３】
前記索状物の各端部に締付ボルトが取り付けられると共に、前記ブレードカバーの周側面にメネジブロックが固定され、前記帯状カバーは、前記締付ボルトを前記メネジブロックにねじ込むことにより、前記ブレードカバーの周側面に固定可能である、請求項１又は２に記載のパイプ切断機用飛沫飛散防止カバー。
【請求項４】
前記索状物はチェーンである、請求項１乃至３のいずれかに記載のパイプ切断機用飛沫飛散防止カバー。
【請求項５】
ローラー付きチェーンの軸、その他適宜箇所に設置されて、前記帯状カバーを受けて支持する受けアームを含む、請求項１乃至４のいずれかに記載のパイプ切断機用飛沫飛散防止カバー。
【考案の詳細な説明】
【技術分野】
【０００１】
本考案は、パイプ切断機用飛沫飛散防止カバーに関するものであり、より詳細には、水道工事、土木工事等の工事現場で比較的口径の大きいパイプ等を切断するために用いられるパイプ切断機において、切断時に切り口から生ずる切削飛沫の飛散を防止するために用いられる飛沫飛散防止カバーに関するものである。
【背景技術】
【０００２】
上記パイプ切断機は一般に、回転ブレードを有する切断機本体と、切断機本体を切断すべきパイプに設置するためにパイプを取り巻くように配備されるローラー付きチェーンと、切断機本体をパイプの周面に沿って周回させる周回駆動手段とを備えて成る（特公昭５９−９２８８号公報、特許第２６７６３３１号公報等）。
【０００３】
上記パイプ切断機は、切断部に向けて水を供給しつつ、回転ブレードを高速回転させてパイプを切断するものであるため、大量の切削飛沫が生じて飛散する。この切削飛沫の飛散を押えるために、回転ブレードにブレードカバーが取り付けられる（特開２００９−１６６２２９号公報）。しかし、従来用いられているブレードカバーは、回転ブレードの上面及び両側面を覆うに過ぎないものであって、最も切削飛沫が飛散する下部が開放されているため、そこからの飛散を抑えることができない。
【先行技術文献】
【特許文献】
【０００４】
【特許文献１】特公昭５９−９２８８号公報
【特許文献２】特許第２６７６３３１号公報
【特許文献３】特開２００９−１６６２２９号公報
【考案の概要】
【考案が解決しようとする課題】
【０００５】
上述したように、従来用いられているブレードカバーは、回転ブレードの上面及び両側面を覆うに過ぎないものであって、最も切削飛沫が飛散する下部が開放されているため、そこからの飛散を抑えることができない。特に、近時電柱の廃棄処理に際しては、電柱を引き抜くことなく、立ったままの状態で上部から適宜長さずつ切断していく方法が採られているため、街中での作業に際しては切削飛沫が一般家庭に飛び、洗濯物が汚れる等の苦情が絶えないのが現状である。
【０００６】
本考案はかかる現状に鑑みてなされたもので、従来のブレードカバーでは覆い切れない広範囲を覆うことができて、切削飛沫の飛散を有効に防止し得るパイプ切断機用飛沫飛散防止カバーを提供することを課題とする。
【課題を解決するための手段】
【０００７】
上記課題を解決するための請求項１に記載の考案は、ブレードカバーの周側面から切断対象のパイプの切断部周面にかけて被覆する帯状カバーで構成され、
前記帯状カバーには、その外側面全長に亘って索状物が取り付けられていて、前記索状物の端部がそれぞれ前記ブレードカバーの周側面に固定可能にされていることを特徴とするパイプ切断機用飛沫飛散防止カバーである。
【０００８】
また、上記課題を解決するための請求項２に記載の考案は、ブレードカバーの外側面を被覆する円形カバーと、前記ブレードカバーの周側面から切断対象のパイプの切断部周面にかけて被覆する帯状カバーとから成り、
前記帯状カバーには、その外側面全長に亘って索状物が取り付けられていて、前記索状物の端部がそれぞれ前記ブレードカバーの周側面に固定可能にされていることを特徴とするパイプ切断機用飛沫飛散防止カバーである。
【０００９】
一実施形態においては、前記索状物の各端部に締付ボルトが取り付けられると共に、前記ブレードカバーの周側面にメネジブロックが固定され、前記帯状カバーは、前記締付ボルトを前記メネジブロックにねじ込むことにより、前記ブレードカバーの周側面に固定可能である。
【００１０】
一実施形態においては、前記索状物はチェーンである。また、一実施形態においては、ローラー付きチェーンの軸、その他適宜箇所に設置されて、前記帯状カバーを受けて支持する受けアームを含む。
【考案の効果】
【００１１】
本考案に係るパイプ切断機用飛沫飛散防止カバーは上記のとおりのものであるので、構成簡易で簡単な操作で切断機本体に取り付けてパイプの切断部周囲を包囲することができ、以て切断に伴って生ずる飛沫の飛散を確実に抑えることができる効果がある。
【図面の簡単な説明】
【００１２】
【図１】本考案に係るパイプ切断機用飛沫飛散防止カバー（帯状カバー）の構成を示す斜視図である。
【図２】本考案に係るパイプ切断機用飛沫飛散防止カバー（円形カバー）の構成を示す斜視図である。
【図３】本考案に係るパイプ切断機用飛沫飛散防止カバーの使用状態を示す部分切截正面図である。
【図４】本考案に係るパイプ切断機用飛沫飛散防止カバーの使用状態を示す平面図である。
【図５】本考案に係るパイプ切断機用飛沫飛散防止カバーの装着方法を示す平面図である。
【図６】図５におけるＡ−Ａ線断面図である。
【図７】本考案に係るパイプ切断機用飛沫飛散防止カバーの装着方法を示す側面部分図及び正面部分図である。
【考案を実施するための形態】
【００１３】
以下に、本考案を実施するための形態につき、添付図面を参照しつつ詳細に説明する。本考案に係る飛沫飛散防止カバーを装着するパイプ切断機は、従来のパイプ切断機と同様の基本的構成を備える。即ち、回転ブレード２２と、回転ブレード２２を被覆するブレードカバー２３と、回転ブレード２２を高速回転駆動するモータ２４を含む切断機本体２１と、切断機本体２１を切断すべきパイプ（電柱）４１に設置するためにパイプ４１を取り巻くように配備されるローラー付きチェーン２５と、切断機本体２１をパイプの外周に沿って周回させるための周回駆動手段２６とから成る（図３，４参照）。    
【００１４】
周回駆動手段２６は、モーター２４により低速回転駆動される一対の駆動輪２７，２７と、ベルト２８を介して駆動輪２７，２７に従動する従動輪２９，２９とから成る。ローラー付きチェーン２５の一端は、従動輪２９，２９の輪軸３０に連結され、その他端は、モーター２４の両側に配設されるＵ字型の支持アーム３１，３１の下端部間に連結されて、緊張状態にされる（図３参照）。
【００１５】
本考案に係る飛沫飛散防止カバーは、ブレードカバー２３の周側面から切断対象のパイプ４１の切断部周面にかけて被覆する帯状カバー１で構成される。帯状カバー１は、通例、透明又は半透明の比較的厚手の樹脂シートである。
【００１６】
帯状カバー１には、その外側面全長に亘って索状物が取り付けられていて、索状物の端部がそれぞれブレードカバー２３の周側面に固定可能にされている。図示した例における索状物はチェーン２であり、その複数箇所が帯状カバー１に、ネジ３等により固定される。帯状カバー１は、チェーン２に対して緊張状態であってもよいし、弛んだ状態であってもよい。チェーン２の各端部に締付ボルト４が取り付けられると共に、ブレードカバー２３の周側面にメネジブロック５が設置される。かくして、帯状カバー１は、その締付ボルト４をメネジブロック５にねじ込むことにより、ブレードカバー２３の周側面に固定可能となる。図７における符号６は、締付ボルト４をチェーン２につなぎ止めておくためのワイヤーである。
【００１７】
本考案に係るパイプ切断機は、廃棄する電柱を、立った状態のまま上部から適宜長さずつ切断していく用途に使用することを想定している。即ち、図３に示す状態で使用されることが多くなる。その場合帯状カバー１は、ブレードカバー２３に対し、チェーン２の両端の固定用ボルト４によって固定されているだけであるので、その中間部（図３において左側）が自重で下がり、パイプ４１の切断部から外れてしまうおそれがある。
【００１８】
そこで本考案においては、適宜箇所に、帯状カバー１を受けて支持する受けアーム８が１本又は複数本設置される。図示した例では、受けアーム８は、従動輪２９，２９の輪軸３０から水平方向に伸びるように１本設置されている。帯状カバー１は、この受けアーム８に受け止められることにより水平状態を維持し、飛沫が発生するパイプ４１の切断部を確実にカバーすることが可能となる。
【００１９】
本考案の他の態様においては、上記帯状カバー１の他に、更にブレードカバー２３の外側面を被覆する円形カバー１１が含まれる。円形カバー１１も帯状カバー１と同様の、透明又は半透明の比較的厚手の樹脂シートである。図２に示されるように、円形カバー１１は、ブレードカバー２３の外側面を被覆し得るサイズであって、ブレードカバー２３の中央突出部２３ａを逃がすための大円孔１２と、ブレードカバー２３に形成されている注水ノズル１６を配置するための小円孔２３ｂに連通する小円孔１３と、同じくブレードカバー２３に形成されている複数のネジ孔２３ｃに対応するネジ差し込み孔１４とが穿設されたドーナツ形状のものである（図１，２参照）。
【００２０】
円形カバー１１は、その大円孔１２にブレードカバー２３の中央突出部２３ａを通し、また、小円孔１３に注水ノズル１６を通してブレードカバー２３の外側面に被装した後、各ネジ差し込み孔１４にネジ１５を差し込んでネジ孔２３ｃにねじ込むことにより、ブレードカバー２３に固定する。ブレードカバー２３の外側面は真円ではなく、一部を切り欠いた形状となっている（図１参照）。そのため、ブレードカバー２３の外側面に真円形状の円形カバー１１を被装すると、その一部がはみ出すことになるが（図５参照）、そのはみ出し部分１１ａは、使用時においてパイプ４１に当たってパイプ４１に沿って立上がり、その部分の隙間を程よくカバーすることになる（図３参照）。なお、ブレードカバー２３の中央突出部２３ａは、モーターの軸端部を受け入れる部分である。
【００２１】
上記構成の帯状カバー１は、一端の締付ボルト４をブレードカバー２３の一方のメネジブロック５にねじ込み固定し、他端をパイプ４１を取り巻いて反対側に引き回し、他端の締付ボルト４を他方のメネジブロック５にねじ込むことにより、ブレードカバー２３に取り付ける。その状態において、パイプ４１の切断部が包囲される。受けアーム８を設けた場合は、帯状カバー１は受けアーム８に受け止められて、位置的に安定する。また、円形カバー１１を、ネジ１５を用いてブレードカバー２３の外側面にネジ止め固定する。
【００２２】
このように帯状カバー１と円形カバー１１とを装着した状態において切断作業を行った場合、切断に伴って生ずる飛沫は、帯状カバー１に遮られて周囲への飛散が確実に抑止され、また、円形カバー１１によって、切断機本体２１とパイプ４１の周面との隙間からの飛沫の飛散が抑えられる。
【産業上の利用可能性】
【００２３】
本考案に係るパイプ切断機用飛沫飛散防止カバーは上記構成であって、構成簡易で簡単な操作で切断機本体に取り付けてパイプの切断部周囲を包囲することができ、以て切断に伴って生ずる飛沫の飛散を極力抑えることができるものであり、その産業上の利用可能性は大である。
【符号の説明】
【００２４】
１        帯状カバー
２        チェーン  
３        ネジ
４        締付ボルト
５        メネジブロック
８        受けアーム
１１      円形カバー    
１２      大円孔
１３      小円孔
１４      ネジ差し込み孔
１５      ネジ
１６      注水ノズル
２１      切断機本体
２２      回転ブレード
２３      ブレードカバー
２４      モーター
２５      ローラー付きチェーン
２７      駆動輪
２８      ベルト
２９      従動輪
３０      輪軸
４１      パイプ（電柱）
【図１】
0003220671.tif 000003
【図２】
0003220671.tif 000004
【図３】
0003220671.tif 000005
【図４】
0003220671.tif 000006
【図５】
0003220671.tif 000007
【図６】
0003220671.tif 000008
【図７】
0003220671.tif 000009